(57)【要約】【課題】メダル投入口から不正器具を挿入してメダルカウントセンサを誤作動させることによる不正行為を完全に防止できる遊技機を提供する。【解決手段】メダル投入口に投入されたメダルをメダル貯留部に向けて流下させる案内通路上のメダル選別位置において、メダル投入許可期間中には不適正メダルのみを除去する不適正メダル除去状態に、メダル投入不可期間中には全てのメダルを除去する全メダル除去状態に切り替えるブロッカーソレノイドを備えると共に、そのメダル選別位置Ａよりも下流側にメダルカウントセンサを配置したメダル選別装置を搭載した遊技機で、全メダル除去状態（メダル投入不可期間）にあるときに（Ｓ２１：Ｙｅｓ）、メダルカウントセンサの検出状態が変化した場合（Ｓ２２：Ｙｅｓ）に異常と判定し、センサーエラーフラグをＯＮにしてエラー処理を実行する（Ｓ２３）ように構成する。【選択図】図１１
2010284295.tif 000002
【特許請求の範囲】
【請求項１】
メダル投入口（１７）と、該メダル投入口（１７）の下流側に設けられ且つ前記メダル投入口（１７）に投入されたメダルをメダル貯留部（１０）に向けて流下させる案内通路（３３）と、所定条件を満たすメダルをメダル選別位置（Ａ）で前記案内通路（３３）から除去するメダル除去手段（４６）と、前記メダル選別位置（Ａ）よりも下流側に設けられ且つ前記案内通路（３３）を流下するメダルを検出するメダルカウントセンサ（４７ａ，４７ｂ）と、メダル投入許可期間とそれ以外のメダル投入不可期間とに応じて、前記メダル除去手段（４６）を不適正メダルのみを除去する不適正メダル除去状態と全てのメダルを除去する全メダル除去状態とに切り替えるメダル除去条件切替手段（４４）とを備えた遊技機において、前記メダル除去手段（４６）が前記全メダル除去状態にあるときに前記メダルカウントセンサ（４７ａ，４７ｂ）の検出状態が変化した場合に異常と判定し、エラー処理を実行するように構成されていることを特徴とする遊技機。
【請求項２】
ゲーム中に前記異常と判定された場合には当該ゲームの終了後に前記エラー処理を行うように構成されていることを特徴とする請求項１に記載の遊技機。
【請求項３】
前記メダル選別位置（Ａ）よりも上流側でメダルを検出する上流メダルセンサ（５５）を備え、前記メダル除去手段（４６）が前記全メダル除去状態にあるときに、前記上流メダルセンサ（５５）によるメダル検出状態の継続時間が所定値に達した場合に異常と判定し、エラー処理を実行するように構成されていることを特徴とする請求項１又は２に記載の遊技機。
【発明の詳細な説明】
【技術分野】
【０００１】
本発明は、スロットマシン等、遊技媒体としてメダルを用いる遊技機に関するものである。
【背景技術】
【０００２】
遊技媒体としてメダルを用いるスロットマシン等の遊技機には、メダル投入口に投入されたメダルのうち、不適正メダルを返却通路側に案内し、適正メダルのみを内部のメダル貯留部側に流下させるメダル選別装置が搭載されている。
【０００３】
このメダル選別装置は、メダル投入口の下流側に設けられ且つメダル投入口に投入されたメダルをメダル貯留部に向けて流下させる案内通路と、所定条件を満たすメダルをメダル選別位置で案内通路から除去するメダル除去手段と、メダル選別位置よりも下流側に設けられ且つ案内通路を流下するメダルを検出するメダルカウントセンサと、メダル投入許可期間とそれ以外のメダル投入不可期間とに応じて、メダル除去手段を不適正メダルのみを除去する不適正メダル除去状態と全てのメダルを除去する全メダル除去状態とに切り替えるメダル除去条件切替手段とを備え、メダル投入許可期間中にメダル除去手段により除去されることなく案内通路を流下した適正メダルをメダルカウントセンサにより検出して、その検出個数に基づいて例えばクレジットを加算するようになっている（例えば特許文献１参照）。
【０００４】
なお、メダルカウントセンサは、メダルの流下方向に沿って１又は複数、例えば２個隣接して配置されたフォトセンサ等により構成されており、例えばそれら２つのメダルカウントセンサの検出タイミングが所定条件を満たす場合にのみ正常な検出と判断することにより、不正行為等による誤検出を排除するようになっている。
【先行技術文献】
【特許文献】
【０００５】
【特許文献１】特開２００４−２０６４８５号公報
【発明の概要】
【発明が解決しようとする課題】
【０００６】
ところで、従来の遊技機では、メダル投入不可期間中はメダル除去手段により全てのメダルが案内通路から除去され、遊技者に返却されるようになっているため、そのメダル投入不可期間中は、メダルカウントセンサ等によるメダル検出はあり得ないとの前提でそれらセンサの状態変化を監視していない。
【０００７】
従って、メダル投入不可期間中であれば、メダル投入口から案内通路に沿って不正器具が挿入され、その先端側の動きによってメダルカウントセンサが不自然に反応したとしてもそれによってエラーと判定されることはないため、メダル投入不可期間が終了するまでにその不正器具の先端部に搭載された信号出力部がメダルカウントセンサに一致するようにセットされてしまえば、その後のメダル投入許可期間中に信号出力部を作動させてメダルカウントセンサを誤作動させ、不正にクレジットを増加させることも可能であると考えられる。
【０００８】
本発明は、このような従来の問題点に鑑み、メダル投入口から不正器具を挿入してメダルカウントセンサを誤作動させることによる不正行為を完全に防止できる遊技機を提供することを目的とする。
【課題を解決するための手段】
【０００９】
本発明は、メダル投入口１７と、該メダル投入口１７の下流側に設けられ且つ前記メダル投入口１７に投入されたメダルをメダル貯留部１０に向けて流下させる案内通路３３と、所定条件を満たすメダルをメダル選別位置Ａで前記案内通路３３から除去するメダル除去手段４６と、前記メダル選別位置Ａよりも下流側に設けられ且つ前記案内通路３３を流下するメダルを検出するメダルカウントセンサ４７ａ，４７ｂと、メダル投入許可期間とそれ以外のメダル投入不可期間とに応じて、前記メダル除去手段４６を不適正メダルのみを除去する不適正メダル除去状態と全てのメダルを除去する全メダル除去状態とに切り替えるメダル除去条件切替手段４４とを備えた遊技機において、前記メダル除去手段４６が前記全メダル除去状態にあるときに前記メダルカウントセンサ４７ａ，４７ｂの検出状態が変化した場合に異常と判定し、エラー処理を実行するように構成されているものである。
【発明の効果】
【００１０】
本発明によれば、メダル投入不可期間中であっても、例えばメダル投入口１７から案内通路３３に沿って不正器具が挿入され、その先端側の動きによって第１，第２メダルカウントセンサ４７ａ，４７ｂが不自然に反応した場合にはエラーと判定されるため、このようなメダル投入口１７から不正器具を挿入してメダルカウントセンサ４７ａ，４７ｂを誤作動させることによる不正行為を完全に防止することができる。
【図面の簡単な説明】
【００１１】
【図１】本発明の第１の実施形態を示すスロットマシンの正面図である。
【図２】同じく本体ケースの正面図である。
【図３】同じくメダル選別装置の背面図である。
【図４】同じくメダル選別装置の側面断面図である。
【図５】同じくメダル選別装置の傾斜通路部に沿った方向の断面図である。
【図６】同じくメダル選別装置の傾斜通路部に垂直な方向の断面図である。
【図７】同じくメダル選別装置によるメダル除去動作の説明図である。
【図８】同じく制御系の概略ブロック図である。
【図９】同じく遊技制御手段による遊技制御処理のフローチャートである。
【図１０】同じく第１，第２メダルカウントセンサの検出状態に基づくエラー検出条件の一例を示す図である。
【図１１】同じく遊技制御手段による異常監視処理（定期割り込み）のフローチャートである。
【図１２】本発明の第２の実施形態を示すスロットマシンのメダル選別装置の背面図である。
【図１３】同じく遊技制御手段による第２異常監視処理（定期割り込み）のフローチャートである。
【発明を実施するための形態】
【００１２】
以下、本発明の実施形態を図面に基づいて詳述する。図１〜図１１は、本発明をスロットマシンとして具現化した第１の実施形態を例示している。図１及び図２において、１は遊技機本体で、前側が開放した矩形箱状の本体ケース２と、この本体ケース２の前側に配置された矩形状の前面パネル３とを備えている。
【００１３】
本体ケース２は、その上下方向略中央部分に内部空間を上下に仕切るように中間支持板４が略水平に配置されており、その中間支持板４上に、図柄表示リール５ａ〜５ｃを左右方向に備えた表示リールユニット６が配置され、中間支持板４の下側に、メダル払い出し装置７、メダル補助ケース８、電源ユニット９等が配置されている。
【００１４】
メダル払い出し装置７は、払い出し用のメダルを貯留するメダルホッパー（メダル貯留部）１０、このメダルホッパー１０内のメダルを払い出すメダル払い出し手段１１、メダルホッパー１０から溢れたメダル等の余剰メダルをメダル補助ケース８側に排出する余剰メダル排出口１２等を備えている。
【００１５】
前面パネル３は、左右一端側に配置されたヒンジを介して本体ケース２に対して開閉自在に装着されており、その上部には、本体ケース２内の図柄表示リール５ａ〜５ｃに対応する３つの表示窓１３ａ〜１３ｃが左右方向に配置されている。
【００１６】
また、例えば表示窓１３ａ〜１３ｃの下側には、クレジット枚数を表示するクレジット表示手段１４と獲得メダル数を表示する獲得メダル表示手段１５とが左右に配置され、更にその下側に横長状に設けられた操作パネル部１６には、遊技媒体としてのメダルを投入可能なメダル投入口１７、このメダル投入口１７内に詰まったメダルを返却させるための返却ボタン１８の他、メダル投入口１７へのメダル投入に代えてクレジットからメダルをベットするための１ＢＥＴボタン１９及びマックスＢＥＴボタン２０、獲得したメダルをクレジットするか払い出すかの設定を切り替えるためのクレジット精算ボタン２１、図柄表示リール５ａ〜５ｃの回転を開始させるためのスタートレバー２２、回転中の図柄表示リール５ａ〜５ｃを夫々個別に停止させるためのストップボタン２３ａ〜２３ｃ等が設けられている。
【００１７】
メダル投入口１７は、例えば左右方向に長い細長状の開口部１７ａを上向きに備えており、この開口部１７ａにメダルを１枚ずつ投入可能となっている。また、返却ボタン１８は例えばメダル投入口１７に隣接して配置されている。
【００１８】
前面パネル３の下端部前側には、メダル払い出し手段１１から払い出されたメダル等を前側に排出するための排出口２４が設けられ、その前側に、排出口２４から排出されたメダルを受けるメダル受け皿２５が横長状に配置されている。
【００１９】
前面パネル３の裏側には、メダル投入口１７に投入されたメダルの選別を行うメダル選別装置２６、このメダル選別装置２６ではじかれたメダルを排出口２４側に案内する返却通路２７等が設けられている。
【００２０】
メダル選別装置２６は、メダル投入許可期間中にメダル投入口１７に投入された適正メダルのみを検出してメダルホッパー１０側に案内し、それ以外、即ち不適正メダル及びメダル投入不可期間中に投入された適正メダルについては検出することなくメダル受け皿２５側に返却するように構成されており、図３〜図６等に示すように、選別装置本体２８と、この選別装置本体２８による検出後の適正メダルをメダルホッパー１０に案内するシュート２９等を備えている。なお、選別装置本体２８とシュート２９とは例えば前面パネル３に対して個別に装着されている。
【００２１】
選別装置本体２８は、ベースプレート３１と、このベースプレート３１の裏面側に装着されたカバープレート３２とを備えている。ベースプレート３１は、略平板状に形成され、例えばその左右両縁部から後ろ向きに補強リブ３１ａが延設されており、図４に示すように例えば前面パネル３と略平行となるように前面パネル３の裏側で且つメダル投入口１７の下側に着脱自在に装着されている。
【００２２】
ベースプレート３１の背面側には、適正メダルの直径及び厚さと略等しい幅及び深さに形成された浅溝状の案内通路３３が形成されている。この案内通路３３は、メダル投入口１７に投入されたメダルをシュート２９側に流下させるもので、メダル投入口１７の下側に連通し且つベースプレート３１の上縁側から例えば右縁部に沿って略下向きに形成された縦通路部３３ａと、この縦通路部３３ａの下流端側から例えばベースプレート３１の左縁部に向けて傾斜状に形成された傾斜通路部３３ｂとで構成されており、この傾斜通路部３３ｂの下流端側が、補強リブ３１ａに形成された流出口３４を介してシュート２９に連通している。
【００２３】
カバープレート３２は、案内通路３３をその後側から略覆うようにベースプレート３１の背面側に沿って配置され、例えばその上部側が、傾斜通路部３３ｂの上側においてベースプレート３１と略平行な回転軸３５廻りに回転自在に支持されており、バネ部材３６によりベースプレート３１側に弾性付勢されている。
【００２４】
このカバープレート３２には、傾斜通路部３３ｂの略全体に対応して除去窓３７が開口状に形成され、その除去窓３７の上流側は、例えば縦通路部３３ａの後側を閉鎖してメダルを縦通路部３３ａに沿って案内する上流側カバー部３８となっている。
【００２５】
除去窓３７は、その下縁部３７ａが傾斜通路部３３ｂの下縁部３９に沿ってそれよりも僅かに上側に突出しており、傾斜通路部３３ｂ上を流下するメダルの下端部をその下縁部３７ａで後側から保持して下流側に案内するようになっている。また、除去窓３７の上縁部３７ｂは、傾斜通路部３３ｂの上縁部４０よりも上側に配置され、傾斜通路部３３ｂを流下するメダルとは接触しないようになっている。
【００２６】
ベースプレート３１の前面側には、返却ボタン１８の上下方向の動作をカバープレート３２の揺動動作に変換するためのカム部材４１が揺動自在に配置されており、返却ボタン１８が押されたとき、所定の連動機構を介してカム部材４１が揺動して、図４に実線で示すようにバネ部材３６の付勢力に抗してカバープレート３２を後ろ向きに押圧し、カバープレート３２がベースプレート３１の背面側から後ろ向きに離間するようになっている。
【００２７】
また、ベースプレート３１の背面側には、傾斜通路部３３ｂの上側で且つカバープレート３２の除去窓３７内に可動ガイドプレート４２が装着されている。この可動ガイドプレート４２は、例えば傾斜通路部３３ｂに平行な軸４３廻りに揺動可能に支持されており、ベースプレート３１の前面側に装着されたブロッカーソレノイド（メダル除去条件切替手段）４４により、図６に実線で示すように下縁側のガイド部４２ａが傾斜通路部３３ｂの上縁部４０の前側に近接又は当接するガイド状態（不適正メダル除去状態）と、図６に二点鎖線で示すようにガイド部４２ａが傾斜通路部３３ｂの上縁部４０から待避する非ガイド状態（全メダル除去状態）とに切り替え可能となっている。
【００２８】
なお、可動ガイドプレート４２は、図示しないバネ部材により非ガイド状態に付勢され、ブロッカーソレノイド４４がＯＮになったときにガイド状態側に駆動されるように構成されており、そのガイド状態では、下縁側のガイド部４２ａが傾斜通路部３３ｂの上縁部４０よりも僅かに下側に突出して、適正メダルの上端部を後側から支持して下流側に案内するようになっている。
【００２９】
この可動ガイドプレート４２は、ブロッカーソレノイド（メダル除去条件切替手段）４４により、メダルの投入が許されるメダル投入許可期間中はガイド状態（不適正メダル除去状態）に、メダルの投入が許されないメダル投入不可期間中は非ガイド状態（全メダル除去状態）に夫々切り替えられるようになっている。
【００３０】
また、ベースプレート３１には、傾斜通路部３３ｂ上で且つカバープレート３２の除去窓３７内に対応するメダル選別位置Ａに除去案内片４５が設けられている。この除去案内片４５は、ベースプレート３１から案内通路３３内に向けて後ろ向きに突出する突出状態（図５に実線で示す）と、案内通路３３内に突出しない待避状態（図５に二点鎖線で示す）との間で揺動可能に支持されており、付勢手段４５ａにより突出状態に弾性付勢されている。なお、除去案内片４５は、突出状態における案内通路３３内への突出量が上流側から下流側に向けて徐々に大きくなるように傾斜通路部３３ｂに沿って配置されている。
【００３１】
可動ガイドプレート４２がガイド状態（不適正メダル除去状態）に保持されているメダル投入許可期間中に適正メダルが投入された場合、図７（ａ）に示すように、その適正メダルが傾斜通路部３３ｂを流下する際にその上下両端側が夫々可動ガイドプレート４２のガイド部４２ａと除去窓３７の下縁部３７ａとで後側からガイドされ、傾斜通路部３３ｂから落下することなく下流側に流下する。このとき、除去案内片４５はそのメダルに押されて突出状態から待避状態に移行し、メダルの通過を許容する。
【００３２】
一方、同じくメダル投入許可期間中に適正メダルよりも直径の小さい不適正メダルが投入された場合には、図７（ｂ）に示すように、その不適正メダルが傾斜通路部３３ｂを流下する際、下端側は除去窓３７の下縁部３７ａにより後側からガイドされるが、上端側は可動ガイドプレート４２から外れてガイドされないため、その不適正メダルはメダル選別位置Ａで突出状態にある除去案内片４５により後側に押し出され、除去窓３７を介して返却通路２７側に落下し、メダル受け皿２５に返却される。
【００３３】
可動ガイドプレート４２が非ガイド状態（全メダル除去状態）となっているメダル投入不可期間中にメダルが投入された場合には、図７（ｃ）に示すように、適正メダルであっても傾斜通路部３３ｂ上でその上端側がガイドされないため、傾斜通路部３３ｂを流下する全てのメダルがメダル選別位置Ａで除去案内片４５により後側に押し出され、除去窓３７を介して返却通路２７側に落下し、メダル受け皿２５に返却される。
【００３４】
このように本実施形態では、案内通路３３のメダル選別位置Ａを流下するメダルの下端側をガイドする除去窓３７の下縁部３７ａ、同じく案内通路３３のメダル選別位置Ａを流下するメダルのうち所定径の適正メダルの上端側を解除可能にガイドする可動ガイドプレート４２、メダル選別位置Ａにおいてメダルを後ろ向きに押し出す除去案内片４５等により、所定条件を満たすメダルをメダル選別位置Ａで案内通路３３から除去するメダル除去手段４６が構成されている。
【００３５】
また、例えば適正メダルよりも厚い不適正メダルがメダル投入口１７に投入された場合には、例えば縦通路部３３ａ内でベースプレート３１とカバープレート３２側の上流側カバー部３８との間に挟まれて流下が阻止される。この状態で、遊技者が返却ボタン１８を押し下げると、図７（ｄ）に示すように、カバープレート３２がベースプレート３１の背面側から後ろ向きに離間する。これにより、縦通路部３３ａ内でベースプレート３１とカバープレート３２とに挟まれていた不適正メダルは案内通路３３に沿って流下するが、傾斜通路部３３ｂでは除去窓３７の下縁部３７ａが後側に移動してメダルの下端部がガイドされない状態となっているため、流下してきた不適正メダルはメダル選別位置Ａで除去案内片４５により後側に押し出され、ベースプレート３１とカバープレート３２との間を通って返却通路２７側に落下し、メダル受け皿２５に返却される。
【００３６】
また、例えば傾斜通路部３３ｂ上におけるメダル選別位置Ａよりも下流側には、メダル除去手段４６で除去されることなく傾斜通路部３３ｂを流下してきた適正メダルを検出する１又は複数、例えば２つのメダルカウントセンサ４７ａ，４７ｂが配置されている。このメダルカウントセンサ４７ａ，４７ｂは、例えば反射型フォトセンサにより構成されており、傾斜通路部３３ｂの例えば上縁側に沿って所定間隔をあけて配置されている。
【００３７】
図８は上記スロットマシンの制御系のブロック図である。この制御系は、主として遊技状態に関する制御を行う遊技制御手段５１と、演出に関する制御を行う演出制御手段５２とで構成されている。遊技制御手段５１と演出制御手段５２とは別個の基板上に設けられており、例えば遊技制御手段５１には、図柄表示リール５ａ〜５ｃ、ＢＥＴボタン１９，２０、クレジット精算ボタン２１、スタートレバー２２、ストップボタン２３ａ〜２３ｃ、クレジット表示手段１４、獲得メダル表示手段１５、メダル払い出し手段１１、ブロッカーソレノイド４４、第１，第２メダルカウントセンサ４７ａ，４７ｂ等が接続され、演出制御手段５２には、ランプ５３、スピーカ５４等が接続されている。なお、演出制御手段５２は、遊技制御手段５１から送信される制御コマンドに基づいて制御を行うようになっている。
【００３８】
遊技制御手段５１は、ＣＰＵ、ＲＯＭ、ＲＡＭ等により構成され、ＲＯＭ上には遊技制御処理プログラムが予め記憶されており、この遊技制御処理プログラムを１ゲーム毎に実行することにより図９に示す遊技制御処理が行われるようになっている。
【００３９】
遊技制御処理においては、図９に示すように、まずエラーフラグがＯＮに設定されているか否かが判定され（Ｓ１）、エラーフラグがＯＮに設定されている場合には（Ｓ１：Ｙｅｓ）、所定のエラー処理が実行される（Ｓ２）。即ち、例えば後述する定期割り込み処理（図１１）においてセンサーエラーフラグがＯＮになった場合には、ここでエラー処理が実行される。このエラー処理では、例えば遊技が停止され、音声、ランプ等によりエラーの発生が報知される。
【００４０】
エラーフラグがＯＦＦの場合（Ｓ１：Ｎｏ）、又はエラー処理（Ｓ２）が終了した場合には、続いてブロッカーソレノイド４４がＯＦＦからＯＮに切り替えられてメダル投入許可期間が開始される（Ｓ３）と共に、ゲーム開始の条件となる投入メダル検出処理（Ｓ４）及びクレジット投入処理（Ｓ５）が行われる。
【００４１】
ブロッカーソレノイド４４がＯＮになると、可動ガイドプレート４２がガイド状態（不適正メダル除去状態）となるため、不適正メダルはメダル選別位置Ａで案内通路３３から除去されてメダル受け皿２５に返却され（図７（ｂ））、適正メダルのみがメダル選別位置Ａを通過してそのまま案内通路３３上を流下する（図７（ａ））。
【００４２】
投入メダル検出処理（Ｓ４）では、メダル投入枚数が所定の上限枚数、例えば３枚未満であるか、又はメダル投入枚数が上限枚数に達していてもクレジット枚数が所定の上限枚数、例えば５０枚未満であれば、メダルカウントセンサ４７ａ，４７ｂの検出信号に基づいて正常なメダル投入であるか否かが判定される。
【００４３】
この正常なメダル投入であるか否かの判定処理は、メダルカウントセンサ４７ａ，４７ｂからの各検出信号に基づいて、それら検出信号が所定のエラー検出条件を満たしているか否かを判定することにより行われる。このエラー検出条件は例えば図１０のように設定されている。
【００４４】
即ち、上流側の第１メダルカウントセンサ４７ａと下流側の第２メダルカウントセンサ４７ｂとが共にＯＦＦのとき（区間ａ）には、第１メダルカウントセンサ４７ａと第２メダルカウントセンサ４７ｂとが同時にＯＮとなるか、又は第２メダルカウントセンサ４７ｂのみがＯＮとなった場合にエラーと判定される。第１メダルカウントセンサ４７ａのみがＯＮのとき（区間ｂ）には、第１メダルカウントセンサ４７ａがＯＦＦとなるか、又は第１メダルカウントセンサ４７ａのみがＯＮの状態が所定時間（例えば１００ｍｓ）以上継続した場合にエラーと判定される。
【００４５】
第１メダルカウントセンサ４７ａと第２メダルカウントセンサ４７ｂとが共にＯＮのとき（区間ｃ）には、第２メダルカウントセンサ４７ｂがＯＦＦとなるか、又は第１メダルカウントセンサ４７ａと第２メダルカウントセンサ４７ｂとが共にＯＮの状態が所定時間（例えば１００ｍｓ）以上継続した場合にエラーと判定される。第２メダルカウントセンサ４７ｂのみがＯＮのとき（区間ｄ）には、第１メダルカウントセンサ４７ａがＯＮとなるか、又は第２メダルカウントセンサ４７ｂのみがＯＮの状態が所定時間（例えば１００ｍｓ）以上継続した場合にエラーと判定される。
【００４６】
上記エラー検出条件が満たされることなく、第１，第２メダルカウントセンサ４７ａ，４７ｂからの検出信号が、区間ａから区間ｂ，ｃ，ｄを経由して再び区間ａとなった場合には、適正メダルが正常に投入されたものと判定される。
【００４７】
エラー検出条件が満たされたと判定された場合には、遊技が停止され、音声、ランプ等によりエラーの発生が報知されると共に、ブロッカーソレノイド４４がＯＦＦとなって可動ガイドプレート４２が非ガイド状態（全メダル除去状態）に切り替えられ、それ以降にメダル投入口１７に投入されたメダルは全てメダル受け皿２５に返却される（図７（ｃ））。
【００４８】
適正メダルの正常投入があったものと判定された場合には、メダル投入枚数が１加算され、またメダル投入枚数が上限値、例えば３枚に達している場合には、クレジット枚数が１加算され、更にクレジット枚数が上限値、例えば５０枚に達した場合には、その時点でブロッカーソレノイド４４がＯＦＦに切り替えられてメダル投入不可期間となる。
【００４９】
また、続くクレジット投入処理（Ｓ５）では、ＢＥＴボタン１９，２０が操作されることを条件に、クレジット枚数が減算されると共にメダル投入枚数が加算される。
【００５０】
そして、メダル投入枚数が所定枚数となり（Ｓ６：Ｙｅｓ）、スタートレバー２２が操作された場合には（Ｓ７：Ｙｅｓ）、ブロッカーソレノイド４４がＯＦＦに切り替えられてメダル投入不可期間が開始される（Ｓ８）と共に、所定の抽選用乱数を抽出してその抽出乱数値に基づいて図柄が予め設定された大当たり態様となる組み合わせで停止することを許可するか否か等を決定する乱数抽選処理（Ｓ９）が行われ、リール回転開始処理（Ｓ１０）により３つの図柄表示リール５ａ〜５ｃが同時に回転を開始する。
【００５１】
図柄表示リール５ａ〜５ｃの回転が安定した後、遊技者がストップボタン２３ａ〜２３ｃを任意の順序で操作すると、リール回転停止処理（Ｓ１１）により各図柄表示リール５ａ〜５ｃの回転が停止される。そして、所定の入賞ライン上に停止表示されている図柄の組み合わせに応じて入賞判定処理（Ｓ１２）が行われ、その判定結果に応じて、払出処理（Ｓ１３）により予め定められた枚数のメダルがクレジット枚数に加算されるか、又はメダル払い出し手段１１の駆動によりメダル受け皿２５に払い出される。
【００５２】
そして、入賞判定処理（Ｓ１２）の判定結果に応じた各種利益状態の開始処理、利益状態中であればそれに対応する利益状態中処理等の遊技状態管理処理（Ｓ１４）が行われ、遊技制御処理は終了する。
【００５３】
また、遊技制御手段５１では以上のような遊技制御処理（図９）が１ゲーム毎に実行される他、その遊技制御処理の実行中、所定時間毎（例えば１．４９０ｍｓ毎）に、図１１に示す異常監視処理等の定期割り込み処理が実行されるようになっている。
【００５４】
この異常監視処理（図１１）では、ブロッカーソレノイド４４とメダルカウントセンサ４７ａ，４７ｂとが監視され、ブロッカーソレノイド４４がＯＦＦ（メダル投入不可期間中）であるにも拘わらずメダルカウントセンサ４７ａ，４７ｂから検出信号が出力された場合（検出状態が変化した場合）に（Ｓ２１：Ｙｅｓ→Ｓ２２：Ｙｅｓ）、異常発生とみなされてセンサーエラーフラグがＯＮに設定される（Ｓ２３）ようになっている。
【００５５】
センサーエラーフラグがＯＮに設定されると、例えば次のゲームの開始時に実行されるエラー処理（図９のＳ２）において、例えば演出制御手段５２にセンサーエラーコマンドが送信され、演出制御手段５２の制御により音声、ランプ等によりエラーが報知される。即ち、本実施形態では、ゲーム中に異常監視処理により異常と判定された場合には、当該ゲームの終了後にエラー処理が行われるようになっている。
【００５６】
以上説明したように、本実施形態のスロットマシンでは、メダル除去手段４６が全メダル除去状態にあるメダル投入不可期間中に第１，第２メダルカウントセンサ４７ａ，４７ｂの検出状態が変化した場合に異常と判定し、エラー処理を実行するように構成されているため、メダル投入不可期間中であっても、例えばメダル投入口１７から案内通路３３に沿って不正器具が挿入され、その先端側の動きによって第１，第２メダルカウントセンサ４７ａ，４７ｂが不自然に反応した場合にはエラーとなり、このようなメダル投入口１７から不正器具を挿入してメダルカウントセンサを誤作動させることによる不正行為を完全に防止することができる。
【００５７】
図１２及び図１３は本発明の第２の実施形態を例示し、メダル選別位置Ａよりも上流側でメダルを検出する上流メダルセンサ５５を備え、メダル除去手段４６が全メダル除去状態にあるときに、上流メダルセンサ５５によるメダル検出状態の継続時間が所定値に達した場合に異常と判定し、エラー処理を実行するように構成した例を示している。
【００５８】
図１２に示すように、本実施形態のメダル選別装置２６には、案内通路３３上におけるメダル選別位置Ａよりも上流側に、メダルを検出したときにＯＮとなる上流メダルセンサ５５が設けられている。この上流メダルセンサ５５は、例えば案内通路３３内を流下するメダルから受ける機械的動作に基づいてメダルを検出するように構成することが望ましいが、例えばフォトセンサ等により構成してもよい。
【００５９】
また、本実施形態の遊技制御手段５１は、定期割り込み処理として、第１の実施形態で示した異常監視処理（図１１）とは別に図１２に示す第２異常監視処理を実行するように構成されている。
【００６０】
この第２異常監視処理（図１２）では、例えばメダル投入不可期間中であるかメダル投入許可期間中であるかに拘わらず、上流メダルセンサ５５の検出状態が監視され（Ｓ３１，Ｓ３３，Ｓ３６）、上流メダルセンサ５５の状態がＯＦＦからＯＮに変化した場合には（Ｓ３１：Ｙｅｓ）、メダル検出タイマによりメダル検出状態の継続時間の計時が開始される（Ｓ３２）。そして、その後に上流メダルセンサ５５の状態がＯＮからＯＦＦに切り替わった場合には（Ｓ３６：Ｙｅｓ）、その時点でメダル検出タイマによる計時は終了するが（Ｓ３７）、それまでにメダル検出タイマの計時時間が所定値に達した場合には（Ｓ３３：Ｙｅｓ→Ｓ３４：Ｙｅｓ）、異常発生とみなされてセンサーエラーフラグがＯＮに設定される（Ｓ３５）ようになっている。
【００６１】
センサーエラーフラグがＯＮに設定されると、例えば次のゲームの開始時に実行されるエラー処理（図９のＳ２）において、例えば演出制御手段５２にセンサーエラーコマンドが送信され、演出制御手段５２の制御により音声、ランプ等によりエラーが報知される。
【００６２】
本実施形態においても、第１の実施形態と同様に異常監視処理（図１１）が実行されるため、メダル投入不可期間中は上流メダルセンサ５５による検出状態を監視しなくても不正行為は発見可能であるが、上記のような第２異常監視処理をメダル投入不可期間中にも実行することで、不正行為をより迅速且つ確実に発見できる。
【００６３】
以上、本発明の実施形態について詳述したが、この実施形態に限定されるものではなく、本発明の趣旨を逸脱しない範囲で種々の変更が可能である。例えば、メダルカウントセンサ４７ａ，４７ｂは、フォトセンサ以外の非接触式の各種検出手段を用いてもよく、またメダルから受ける機械的動作に基づいてメダルを検出する接触式の検出手段を用いてもよい。またメダルカウントセンサは、１個又は３個以上のスイッチにより構成してもよい。
【００６４】
メダル除去手段４６は、不適正メダルのみを除去する不適正メダル除去状態と全てのメダルを除去する全メダル除去状態とに切り替え可能であればよく、具体的な構成は任意である。
【００６５】
なお、実施形態では本発明をスロットマシンに適用した例を示したが、遊技媒体としてメダルを使用するものであればどのような種類の遊技機においても同様に実施可能であることは言うまでもない。
【符号の説明】
【００６６】
１０    メダルホッパー（メダル貯留部）
１７    メダル投入口
３３    案内通路
４４    ブロッカーソレノイド（メダル除去条件切替手段）
４６    メダル除去手段
４７ａ  第１メダルカウントセンサ
４７ｂ  第２メダルカウントセンサ
５５    上流メダルセンサ
Ａ      メダル選別位置
【図１】
2010284295.tif 000003
【図２】
2010284295.tif 000004
【図３】
2010284295.tif 000005
【図４】
2010284295.tif 000006
【図５】
2010284295.tif 000007
【図６】
2010284295.tif 000008
【図７】
2010284295.tif 000009
【図８】
2010284295.tif 000010
【図９】
2010284295.tif 000011
【図１０】
2010284295.tif 000012
【図１１】
2010284295.tif 000013
【図１２】
2010284295.tif 000014
【図１３】
2010284295.tif 000015